(57)【要約】      （修正有）【課題】ロール・ツー・ロールの連続したシートフィルムに一次転写によりパターンを形成し、さらに、一次転写により形成されたパターンを、基材に二次転写することにより、基材にパターンを印刷する場合に、高精度で安定した印刷が可能になるようにする。【解決手段】ロール・ツー・ロールの連続したシートフィルム２１に一次転写によりパターンを形成し、さらに、一次転写により形成されたパターンを、基材５に二次転写することにより、基材にパターンを印刷する装置であって、  シートフィルムに一定張力を与えたまま、一次転写および二次転写する機構を備えたことを特徴とする印刷装置。【選択図】図１
2008178992.tif 000002
【特許請求の範囲】
【請求項１】
ロール・ツー・ロールの連続したシートフィルムに一次転写によりパターンを形成し、さらに、一次転写により形成されたパターンを、基材に二次転写することにより、基材にパターンを印刷する装置であって、
シートフィルムに一定張力を与えたまま、一次転写および二次転写する機構を備えたことを特徴とする印刷装置。
【請求項２】
前記一定張力を調整する機構を備えたことを特徴とする請求項１に記載の印刷装置。
【請求項３】
二次転写する際のシートフィルム及び基材の位置合わせを、シートフィルムの送り方向でシートフィルムを前後させるＸ位置調整と、シートフィルムの送り方向と直行する基材の繰り出し方向で、その繰り出し量を前後させるＹ位置調整と、基材を回転させるθ位置調整とを用いて、シートフィルム及び基材のアライメントマークを一致させることにより行う機構を備えたことを特徴とする請求項１又は２に記載の印刷装置。
【発明の詳細な説明】
【技術分野】
【０００１】
本発明は、印刷技術に関する。
【背景技術】
【０００２】
従来から、ロール・ツー・ロールの連続したシートフィルムに一次転写によりパターンを形成し、さらに、一次転写により形成されたパターンを、基材に二次転写することにより、基材にパターンを印刷する技術が知られている。
【０００３】
例えば、シートフィルムにスリットコートなどでインキ薄膜を塗布し、パターンを凹部とする凸版をインキ薄膜に押し当てて、凸版の凸部にインキ薄膜を転移させることにより、シートフィルムに一次転写によりパターンを形成し、シートフィルムに形成されたパターンに基材面を接触させることで、基材にパターンを２次転写させて、基材にパターンを印刷する。
【０００４】
このような印刷技術には、以下のような問題がある。
【０００５】
まず、二次転写する際、基材面とシートフィルムの印刷面は平行が望ましく、仮にシートフィルムの印刷面が重力で垂れ下がっていると、基材との正確な位置合わせが困難となる。
【０００６】
また、一次転写するときのシートフィルムにかかる張力と二次転写するときの張力に差が生じてしまうと、シートフィルムに残った印刷パターンが基材収縮によりずれる事となり基材との正確な位置合わせが実現されたとしても、パターンズレは解消されない。
【０００７】
このような問題を解消するために、原反ロールから繰り出されたシートフィルムを、巻き取りロールおよびその途中にテンションロールなどを配置して、張力制御することが考えられる（例えば、特許文献１参照）。
【０００８】
しかしながら、このような張力制御したとしても、一定の張力調整をすることは困難であり、多色重ね合わせ印刷の位置を安定させることは難易度が高い。このためシートフィルムを途中で分断することなく安定的な張力調整を実現することが求められる。
【特許文献１】特開２０００−２４６８６８号公報
【発明の開示】
【発明が解決しようとする課題】
【０００９】
本発明は斯かる背景技術に鑑みてなされたもので、ロール・ツー・ロールの連続したシートフィルムに一次転写によりパターンを形成し、さらに、一次転写により形成されたパターンを、基材に二次転写することにより、基材にパターンを印刷する場合に、高精度で安定した印刷が可能になるようにすることを課題とする。
【課題を解決するための手段】
【００１０】
本発明において上記課題を達成するために、まず請求項１の発明では、ロール・ツー・ロールの連続したシートフィルムに一次転写によりパターンを形成し、さらに、一次転写により形成されたパターンを、基材に二次転写することにより、基材にパターンを印刷する装置であって、
シートフィルムに一定張力を与えたまま、一次転写および二次転写する機構を備えたこ
とを特徴とする印刷装置としたものである。
【００１１】
また請求項２の発明では、前記一定張力を調整する機構を備えたことを特徴とする請求項１に記載の印刷装置としたものである。
【００１２】
また請求項３の発明では、二次転写する際のシートフィルム及び基材の位置合わせを、シートフィルムの送り方向でシートフィルムを前後させるＸ位置調整と、シートフィルムの送り方向と直行する基材の繰り出し方向で、その繰り出し量を前後させるＹ位置調整と、基材を回転させるθ位置調整とを用いて、シートフィルム及び基材のアライメントマークを一致させることにより行う機構を備えたことを特徴とする請求項１又は２に記載の印刷装置としたものである。
【発明の効果】
【００１３】
請求項１の発明は、シートフィルムに一定張力を与えたまま、一次転写および二次転写できるので、一次転写するパターンと二次転写されたパターンと間のズレを防止できるという効果がある。
【００１４】
請求項２の発明は、シートフィルムに重力による垂れ下がりが生じないように張力を調整できるので、シートフィルムと基材との正確な位置合わせができるという効果がある。
【００１５】
請求項３の発明は、シートフィルムと基材との正確な位置合わせが確実かつ容易にできるという効果がある。
【００１６】
以上、本発明は、ロール・ツー・ロールの連続したシートフィルムに一次転写によりパターンを形成し、さらに、一次転写により形成されたパターンを、基材に二次転写することにより、基材にパターンを印刷する場合に、高精度で安定した印刷が可能になるという効果がある。
【発明を実施するための最良の形態】
【００１７】
以下、本発明の最良の一実施形態を、図を用いながら説明する。
【００１８】
本発明は、図１で示すように原反ロール１より繰り出されたシートフィルム２１を印刷ブランとしてインキ塗布ヘッド３によってインキ薄膜がシートフィルム２１移動と共に均一に形成され一次転写版４を経て基材５へ二次転写された後に、巻き取りロール２へ巻き取られる。一次転写版４は、凸版であって、例えば、円筒状の凸版であっても良い。このとき、一次転写版４の凸版の凸部は、基材上に形成されるパターンのネガパターンになっている。
【００１９】
原反ロール１と巻き取りロール２は共に同期した回転動作が可能で、繰り出し量をリアルタイムに計測するための計測ローラを備え、繰り出し量とインク塗布ヘッド３の位置からインキ塗布ヘッド３であらかじめ決められた範囲にインキ塗布することが出来る。
【００２０】
一次転写版４は上下可動式の構造で駆動方法は電動や空気圧や油圧式でも構わない。さらに、一次転写版４を頻繁に交換する必要の場合には、一次転写版４そのものがシートフィルム２１と直交方向に稼動しても構わない。また、真空吸着プレートなどを使い一次転写版４を取り替える構造としても良い。
【００２１】
次にシートフィルム２１を固定する機構について説明する。
【００２２】
シートフィルム２１は上面および下面の両側より固定部材で挟みこんで固定する方式と
している。固定部材フレーム７は中央部に窓状の開口部があり二次転写工程で基材との位置合わせの際のアライメントマークの観察を容易としている。また、場合によっては一次転写又は二次転写時に、それぞれ一次転写版４又は基材５への転写押し付けローラー作業も可能としている。
【００２３】
固定部材フレーム７の四隅には摺動ロットとその先端にはシートフィルム固定バー８が連結されており、摺動ロット上部に組み込まれた圧縮ばね９によってシートフィルム固定バー８は常に上部へ持ち上げられる構造となっている。
【００２４】
固定部材フレーム７は通常待機位置で停止しており、解除バー１１に連結された解除アクチェータ１０を下降方向に動作させることによって、図２の（ａ１）に示すように、シートフィルム固定バー８に連結されている摺動ロットを押し下げ固定部材フレーム７の下面とシートフィルム固定バー８に隙間を設ける。
【００２５】
前記により生じた隙間にシートフィルム２１を通し事前にインキ塗布ヘッド３でインキ薄膜が形成された定位置に達したところで、解除アクチェータ１０を上昇方向へ稼動し、図２の（ａ２）に示すように、圧縮ばね９の戻り力に追従してシートフィルム固定バー８によってシートフィルム２１の上流側および下流側を同時に挟み込んで固定する。
【００２６】
この際に、シートフィルム２１は原反ロール１と巻き取りロール２間で適度な張力がかかっていれば、前記シートフィルム固定バー８によってシートフィルム２１の上流側および下流側を同時に挟み込んで固定してもシートフィルム２１上に偏った皺は生じない。
【００２７】
また、テンションローラ６は上下に同期して稼動する構造を有しており、シートフィルム固定バー８でシートフィルム２１を挟む際に、シートフィルム２１に適度な張力を与える役割を果たす。
【００２８】
次に張力調整機構を図２で説明する。
【００２９】
前記ではテンションローラ６の張力状態で固定部材フレーム７へシートフィルム２１を固定したが、このままではローラースパンが長いために十分な張力が得られておらずばらつきも多く含んでいる。このために固定部材フレーム７に固定した状態で、適正な張力に調整する必要がある。
【００３０】
シートフィルム固定バー８の上流側又は下流側の一方は図２で示すように張力調整支点ピンを支点として円弧動作する構造で、その円弧移動量は調整ねじ１９で微妙に調整される構造となっている。
【００３１】
また、ねじ込み量を増せばシートフィルム２１の張力が増大し反対にねじ込み量を減少するとシートフィルム２１の張力は減少する。
【００３２】
次に張力の定量化であるが、本発明では調整ねじ１９の締め付けトルクを一定にすることでシートフィルム２１の張力を管理することを特徴としている。
【００３３】
装置的にはねじ締めトルクを任意に設定できるねじ締めモータ１２を具備しており、定位置において自動的に一定トルクのねじ込みを可能としている。
【００３４】
これにより、図２の（ａ３）に示すように、常に一定のねじ締めトルクが得られシートフィルム２１においても一定の張力を与えることが可能である。
【００３５】
ねじ締めモータ１２はそれを上下へ駆動するスライドガイド上に搭載されており、ねじ締めトルクを設定する作業終了後は上部へ移動する。
【００３６】
シートフィルム２１を固定して張力を調整し、その後、一次転写版４を接触させて一次転写を行う作業工程を終了後は、下流方向の二次転写工程へ移動する。二次転写工程への移動方法は固定部材フレーム７の摺動を案内するガイドレール１３とその移動を高精度かつ安定した位置決精度に確保するために動作させる手段として、固定部材フレーム７に連結されたボールネジ１４とそれを回転させるためのモータ１５から構成されており、固定材フレーム７の位置を検出するための位置検出センサー１６を配備している。
【００３７】
次の二次転写工程ではシートフィルム２１と基材５との位置合わせが必要であるが、本発明ではシートフィルム２１に印刷された位置合わせマークを読み取るための拡大レンズを備えたＣＣＤエリアカメラ１７を備えており、一般的なアライメント手法による位置合わせを可能としている。シートフィルム２１の送り方向Ｘの位置調整はモータ１５によって前後することが可能で、シートフィルム２１に直交する基材５の繰り出し方向Ｙの位置調整は、基材５の繰り出し量を前後することで容易に出来る。
【００３８】
また、回転方向のズレは基材ロールベース１８を回転することでθ位置調整が可能となっており、位置合わせが完了後、基材ロールベース１８を上昇させシートフィルム２１と基材５を密着させて二次転写が可能となる。
【００３９】
また、二次転写の際に印刷を安定させるため図示して無い転写ローラーでシートフィルム２１上面より加圧することも出来る。
【００４０】
以後、上記逆動作および順動作を繰り返す。
【００４１】
以上、本発明では、シートフィルム面に均一に塗布されたインキを一次転写版で一次転写した際の張力と、基材に二次転写する際の張力を一致させるために、はじめからシートフィルム２１には一定張力を与えたまま、一次転写および二次転写を実現した。
【００４２】
本発明は、原反ロールから繰り出されたシートフィルムを巻き取りロールで巻き取られるまでの間を分断せずにシートフィルムの上流側と下流側を一定間隔で固定し、一定の張力に調整して一次転写、二次転写工程へ搬送させるものである。
【００４３】
上流側と下流側の固定位置はそれぞれの固定部材が連結されていることで、常に一定の間隔を保持し、適度な張力で張られたシートフィルムの下面から固定部材が上昇しシートフィルム上面の固定部材と挟み込んで固定する機構となっている。
【００４４】
下面固定部材と上面固定部材は一体となって搬送する機構となっているために、張力変化を起こすことはない。
【００４５】
さらに、張力の調整機構では固定部材の一方にシートフィルム長を可変する機構を有することで張力調整を可能としている。
【００４６】
また、転写作業時の障害とならないように転写面は凹凸が出来ない構造となっている。
【００４７】
さらに巻き取り形状を考慮して固定部材で挟み込んだ際シートフィルムは折れ曲がることなく固定することで、巻き取り形状は安定している。
【図面の簡単な説明】
【００４８】
【図１】本発明装置の概略を示すもので、（Ａ）は概略平面図であり、（Ｂ）は概略側面図である。
【図２】（ａ１）〜（ａ２）は、本発明装置におけるシートフィルム固定と張力調整を説明する図である。
【符号の説明】
【００４９】
１…原反ロール
２…巻き取りロール
３…インキ塗布ヘッド
４…一次転写版
５…基材
６…テンションローラ
７…固定部材フレーム
８…シートフィルム固定バー
９…圧縮ばね
１０…解除アクチェータ
１１…解除バー
１２…ねじ締めモータ
１３…ガイドレール
１４…ボールネジ
１５…モータ
１６…位置検出センサー
１７…ＣＣエリアカメラ
１８…基材ロールベース
１９…調整ねじ
２１…シートフィルム
【図１】
2008178992.tif 000003
【図２】
2008178992.tif 000004